【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
別の信号を追跡する信号を提供する装置であって、
制御信号に基づいて発振信号を提供するように構成される発振器回路と、
前記発振信号を調整可能スレショルドと比較して出力信号を提供するように構成される比較器と、
前記出力信号及び入力信号を受信するように構成され、前記制御信号を調整して前記発振信号の周波数を制御するとともに前記調整可能スレショルドを調整して前記出力信号のデューティサイクルを制御することによって、前記出力信号が前記入力信号を追跡するようにさらに構成される時間及び周波数追跡回路と
を備え、
前記時間及び周波数追跡回路が、前記制御信号を調整して、前記発振信号の前記周波数が前記入力信号の周波数を追跡するとともに、前記調整可能スレショルドを調整して、前記出力信号のエッジが前記入力信号と関連付けられたパルスを追跡するようにさらに構成される、装置。
【請求項２】
前記発振器回路が少なくとも一つの別の制御信号に基づいて前記発振信号を提供するようにさらに構成されると共に、
前記時間及び周波数追跡回路が前記少なくとも一つの別の制御信号を調整して前記出力および入力の両信号に基づく前記発振信号の前記周波数の制御をするようにさらに構成される請求項１の装置。
【請求項３】
前記発振信号を少なくとも一つの別の調整可能スレショルドと比較して少なくとも一つの別の出力信号を提供するように構成されている少なくとも一台の別の比較器をさらに備え、
前記時間及び周波数追跡回路が前記少なくとも一つの別の調整可能スレショルドを調整して前記少なくとも一つの別の出力信号のそれぞれの少なくとも一つの別のデューティサイクルを制御するようにさらに構成される請求項１の装置。
【請求項４】
前記時間及び周波数追跡回路が、前記少なくとも一つの別の出力信号および前記少なくとも一つの別の入力信号を受信して、前記少なくとも一つの別の調整可能スレショルドを調整することによって、前記少なくとも一つの別の出力信号が前記少なくとも一つの別の入力信号を追跡するようにさらに構成される請求項３の装置。
【請求項５】
各々が異なる位相オフセットに関連付けられている一組の調整可能スレショルド値を格納するように構成されるデータメモリをさらに備え、
前記時間及び周波数追跡回路が前記調整可能スレショルド値の少なくとも一つを選択して前記少なくとも一つの別の出力信号の少なくとも一つのデューティサイクルを調整するようにさらに構成される請求項３の装置。
【請求項６】
前記発振器回路が、キャパシタンス若しくはインダクタンス又はキャパシタンス及びインダクタンスの可変量を前記制御信号に基づいて前記発振器回路に提供するように構成されるリアクティブ回路を備える請求項１の装置。
【請求項７】
前記リアクティブ回路が、容量素子若しくは誘導素子又は容量及び誘導の両素子を前記制御信号に応答して前記発振器回路に結合するとともにこの結合を解除するように構成されるスイッチを備える請求項６の装置。
【請求項８】
前記リアクティブ回路が、前記制御信号に基づいてキャパシタンスの可変量を提供する可変容量素子若しくは前記制御信号に基づいてインダクタンスの可変量を提供する可変誘導素子又は前記制御信号に基づいてキャパシタンスの可変量及びインダクタンスの可変量を提供する可変容量素子及び可変誘導素子を備える請求項６の装置。
【請求項９】
前記発振器回路が、インバータに並列に結合された水晶発振器を備える請求項１の装置。
【請求項１０】
前記時間及び周波数追跡回路が、前記制御信号をある時間に亘って繰り返し変化させて前記発振信号の有効周波数を前記時間に亘って変更するようにさらに構成される請求項１の装置。
【請求項１１】
前記時間及び周波数追跡回路が、前記制御信号の別のデューティサイクルを定めて前記有効周波数を定めるようにさらに構成される請求項１０の装置。
【請求項１２】
前記比較器はインバータを備えていて、前記インバータに前記出力信号の極性を切り替えさせる前記発振信号のレベルを決める調整可能決定スレショルドを前記インバータが有しており、
前記調整可能スレショルドの前記調整により前記決定スレショルドが変わる請求項１の装置。
【請求項１３】
前記比較器が、調整可能バイアスを有しているトランジスタ回路を備えていて、前記調整可能スレショルドの前記調整により前記バイアスが変化する請求項１の装置。
【請求項１４】
前記入力信号が、前記パルスを備える受信した信号から復元されるクロック信号を備える請求項１の装置。
【請求項１５】
前記出力信号に基づいて前記パルスからデータを復元するように構成されるデータ復元回路をさらに備える請求項１の装置。
【請求項１６】
前記パルスは、２０％以上のオーダーの部分的帯域幅若しくは５００ＭＨｚ以上のオーダーの帯域幅又は２０％以上のオーダーの部分的帯域幅及び５００ＭＨｚ以上のオーダーの帯域幅に関連付けられた超広帯域を備える請求項１５の装置。
【請求項１７】
別の信号を追跡する信号を提供する方法であって、
制御信号に基づいて発振信号を提供することと、
前記発振信号を調整可能スレショルドと比較して出力信号を提供することと、
前記制御信号を調整して前記発振信号の周波数を制御するとともに前記調整可能スレショルドを調整して前記出力信号のデューティサイクルを制御することによって、前記出力信号が入力信号を追跡することと、を備え、
前記出力信号に前記入力信号を追跡させることが、
前記制御信号を調整して、前記発振信号の前記周波数が前記入力信号の周波数を追跡することと、
前記調整可能スレショルドを調整して、前記出力信号のエッジが前記入力信号と関連付けられたパルスを追跡することと、を備える、方法。
【請求項１８】
少なくとも一つの別の制御信号に基づいて前記発振信号を提供することと、
前記少なくとも一つの別の制御信号を調整して前記出力および入力の両信号に基づく前記発振信号の前記周波数の制御をすることと
をさらに備える請求項１７の方法。
【請求項１９】
前記発振信号を少なくとも一つの別の調整可能スレショルドと比較して少なくとも一つの別の出力信号を提供することと、
前記少なくとも一つの別の調整可能スレショルドを調整して前記少なくとも一つの別の出力信号のそれぞれの少なくとも一つの別のデューティサイクルを制御することと
をさらに備える請求項１７の方法。
【請求項２０】
前記少なくとも一つの調整可能スレショルドを調整することによって前記少なくとも一つの別の出力信号が少なくとも一つの別の入力信号を追跡することをさらに備える請求項１９の方法。
【請求項２１】
各々が異なる位相オフセットに関連付けられている一組の調整可能スレショルド値を格納することと、
前記調整可能スレショルド値の少なくとも一つを選択して前記少なくとも一つの別の出力信号の少なくとも一つのデューティサイクルを調整することと
をさらに備える請求項１９の方法。
【請求項２２】
前記発振信号を提供する発振器回路にキャパシタンスの可変量若しくはインダクタンスの可変量又はキャパシタンス及びインダクタンスの可変量を前記制御信号に基づいて提供することをさらに備える請求項１７の方法。
【請求項２３】
容量素子若しくは誘導素子又は容量及び誘導の両素子を前記制御信号に応答して前記発振器回路に結合したりするとともにこの結合を解除することをさらに備える請求項２２の方法。
【請求項２４】
前記制御信号に基づいて可変容量素子のキャパシタンスを調整することと、
前記制御信号に基づいて可変誘導素子のインダクタンスを調整することと、
前記制御信号に基づいて可変容量素子及び可変誘導素子のキャパシタンスおよびインダクタンスを調整することと
をさらに備える請求項２２の方法。
【請求項２５】
前記発振信号を提供する発振器回路がインバータに並列に結合された水晶発振器を備える請求項１７の方法。
【請求項２６】
前記制御信号をある時間に亘って繰り返し変化させて前記発振信号の有効周波数を前記時間に亘って変更することをさらに備える請求項１７の方法。
【請求項２７】
前記有効周波数を定めるために前記制御信号の別のデューティサイクルを定めることをさらに備える請求項２６の方法。
【請求項２８】
前記比較がインバータにより実行され、前記インバータに前記出力信号の極性を切り替えさせる前記発振信号のレベルを決める調整可能決定スレショルドを前記インバータが有しており、
前記調整可能スレショルドの前記調整により前記決定スレショルドが変わる請求項１７の方法。
【請求項２９】
前記比較が、調整可能バイアスを有しているトランジスタ回路により実行され、前記調整可能スレショルドの前記調整により前記バイアスが変化する請求項１７の方法。
【請求項３０】
前記入力信号が、前記パルスを備える受信した信号から復元されるクロック信号を備える請求項１７の方法。
【請求項３１】
前記出力信号に基づいて前記パルスからデータを復元することをさらに備える請求項１７の方法。
【請求項３２】
前記パルスは、２０％以上のオーダーの部分的帯域幅若しくは５００ＭＨｚ以上のオーダーの帯域幅又は２０％以上のオーダーの部分的帯域幅及び５００ＭＨｚ以上のオーダーの帯域幅に関連付けられた超高帯域パルスを備える請求項３１の方法。
【請求項３３】
別の信号を追跡する信号を提供する装置であって、
制御信号に基づいて発振信号を提供する手段と、
前記発振信号を調整可能スレショルドと比較して出力信号を提供する手段と、
前記制御信号を調整して前記発振信号の周波数を制御するとともに前記調整可能スレショルドを調整して前記出力信号のデューティサイクルを制御したりすることによって前記出力信号が入力信号を追跡する手段と
を備え、
前記追跡する手段が、前記制御信号を調整して、前記発振信号の前記周波数が前記入力信号の周波数を追跡するとともに、前記調整可能スレショルドを調整して、前記出力信号のエッジが前記入力信号と関連付けられたパルスを追跡する、装置。
【請求項３４】
前記発振信号を提供する手段が少なくとも一つの別の制御信号に基づいて前記発振信号をさらに提供し、
前記追跡する手段が前記少なくとも一つの別の制御信号を調整して前記出力および入力の両信号に基づく前記発振信号の前記周波数の制御をする請求項３３の装置。
【請求項３５】
前記比較して提供する手段が前記発振信号を少なくとも一つの別の調整可能スレショルドと比較して少なくとも一つの別の出力信号を提供し、
前記追跡する手段が前記少なくとも一つの別の調整可能スレショルドを調整して前記少なくとも一つの別の出力信号のそれぞれの少なくとも一つの他のデューティサイクルを制御する請求項３３の装置。
【請求項３６】
前記追跡する手段が、前記少なくとも一つの別の出力信号および少なくとも一つの別の入力信号を受信して、前記少なくとも一つの調整可能スレショルドを調整することによって前記少なくとも一つの別の出力信号が前記少なくとも一つの別の入力信号を追跡する請求項３５の装置。
【請求項３７】
各々が異なる位相オフセットに関連付けられている一組の調整可能スレショルド値を格納する手段をさらに備え、
前記追跡する手段が前記調整可能スレショルド値の少なくとも一つを選択して前記少なくとも一つの別の出力信号の少なくとも一つのデューティサイクルを調整する請求項３５の装置。
【請求項３８】
前記発振信号を提供する手段が、前記発振信号を提供する手段にキャパシタンス若しくはインダクタンス又はキャパシタンス及びインダクタンスの可変量を前記制御信号に基づいて提供する請求項３３の装置。
【請求項３９】
前記発振信号を提供する手段が前記制御信号に応答して容量素子若しくは誘導素子又は容量及び誘導の両素子との結合や分離をする請求項３８の装置。
【請求項４０】
前記発振信号を提供する手段が、前記制御信号に基づいてキャパシタンスの可変量を提供する可変容量素子若しくは前記制御信号に基づいてインダクタンスの可変量を提供する可変誘導素子又は前記制御信号に基づいてキャパシタンスの可変量及びインダクタンスの可変量を提供する可変容量素子及び可変誘導素子を備える請求項３８の装置。
【請求項４１】
前記発振信号を提供する手段が、インバータに並列に結合された水晶発振器を備える請求項３３の装置。
【請求項４２】
前記追跡する手段が、前記制御信号をある時間に亘って繰り返し変化させて前記発振信号の有効周波数を前記時間に亘って変更する請求項３３の装置。
【請求項４３】
前記追跡する手段が、前記制御信号の別のデューティサイクルを定めて前記有効周波数を定める請求項４２の装置。
【請求項４４】
前記比較して提供する手段は、調整可能決定スレショルドを有しているインバータを備え、前記インバータが前記出力信号の極性を切り替えるための前記発振信号のレベルが前記調整可能決定スレショルドにより決まり、
前記調整可能スレショルドの前記調整により前記調整可能決定スレショルドが変わる請求項３３の装置。
【請求項４５】
前記比較して提供する手段が、調整可能バイアスを有しているトランジスタ回路を備えていて、前記調整可能スレショルドの前記調整により前記バイアスが変化する請求項３３の装置。
【請求項４６】
前記入力信号が、前記パルスを備える受信した信号から復元されるクロック信号を備えている請求項３３の装置。
【請求項４７】
前記出力信号に基づいて前記パルスからデータを復元する手段をさらに備えている請求項３３の装置。
【請求項４８】
前記パルスは、２０％以上のオーダーの部分的帯域幅若しくは５００ＭＨｚ以上のオーダーの帯域幅又は２０％以上のオーダーの部分的帯域幅及び５００ＭＨｚ以上のオーダーの帯域幅に関連付けられた超高帯域パルスを備える請求項４７の装置。
【請求項４９】
別の信号を追跡する信号を提供するコンピュータプログラムであって、
制御信号に基づいて発振信号を提供すること、
前記発振信号を調整可能スレショルドと比較して出力信号を提供すること、
前記制御信号を調整して前記発振信号の周波数を制御するとともに前記調整可能スレショルドを調整して前記出力信号のデューティサイクルを制御することによって、前記出力信号が入力信号を追跡するための符号
を備えていて前記符号が少なくとも一台のコンピュータによって実行可能され、
前記出力信号が前記入力信号を追跡することは、
前記制御信号を調整して、前記発振信号の前記周波数が前記入力信号の周波数を追跡することと、
前記調整可能スレショルドを調整して、前記出力信号のエッジが前記入力信号と関連付けられたパルスを追跡することと、を備えている、コンピュータプログラム。
【請求項５０】
制御信号に基づいて発振信号を提供するように構成さる発振器回路と、
前記発振信号を調整可能スレショルドと比較して出力信号を提供するように構成される比較器と、
前記出力信号及び入力信号を受信するように構成され、前記制御信号を調整して前記発振信号の周波数を制御するとともに前記調整可能スレショルドを調整して前記出力信号のデューティサイクルを制御することによって、前記出力信号が前記入力信号を追跡するようにさらに構成される時間及び周波数追跡回路と、
前記発振信号の使用により提供されるデータに基づいて音声出力を提供するのに好適するトランスデューサと
を備え、
前記時間及び周波数追跡回路が、前記制御信号を調整して、前記発振信号の前記周波数が前記入力信号の周波数を追跡するとともに、前記調整可能スレショルドを調整して、前記出力信号のエッジが前記入力信号と関連付けられたパルスを追跡するようにさらに構成される、ヘッドセット。
【請求項５１】
制御信号に基づいて発振信号を提供するように構成される発振器回路と、
前記発振信号を調整可能スレショルドと比較して出力信号を提供するように構成される比較器と、
前記出力信号及び入力信号を受信するように構成され、前記制御信号を調整して前記発振信号の周波数を制御するとともに前記調整可能スレショルドを調整して前記出力信号のデューティサイクルを制御することによって、前記出力信号が前記入力信号を追跡するようにさらに構成される時間及び周波数追跡回路と、
前記発振信号の使用により提供されるデータに基づいて指示を提供するのに好適するユーザインタフェースと
を備え、
前記時間及び周波数追跡回路が、前記制御信号を調整して、前記発振信号の前記周波数が前記入力信号の周波数を追跡するとともに、前記調整可能スレショルドを調整して、前記出力信号のエッジが前記入力信号と関連付けられたパルスを追跡するようにさらに構成される、ウォッチ。
【請求項５２】
制御信号に基づいて発振信号を提供するように構成される発振器回路と、
前記発振信号を調整可能スレショルドと比較して出力信号を提供するように構成される比較器と、
前記出力信号及び入力信号を受信するように構成され、前記制御信号を調整して前記発振信号の周波数を制御するとともに前記調整可能スレショルドを調整して前記出力信号の位相を制御することによって、前記出力信号が前記入力信号を追跡するようにさらに構成される時間及び周波数追跡回路と、
前記発振信号の使用により送信されるべきデータを提供するのに好適するセンサと
を備え、
前記時間及び周波数追跡回路が、前記制御信号を調整して、前記発振信号の前記周波数が前記入力信号の周波数を追跡可能にするとともに、前記調整可能スレショルドを調整して、前記出力信号のエッジが前記入力信号と関連付けられたパルスを追跡するようにさらに構成される、無線通信のための検知デバイス。
【手続補正２】
【補正対象書類名】明細書
【補正対象項目名】０１０７
【補正方法】変更
【補正の内容】
【０１０７】
開示される側面に関する上記説明は、当業者がこの開示を製造又は使用できるようにすることを目的とする。これらの側面に対する様々な修正は、当業者にとって容易に明確になるであろう。ここにおいて定められる一般原理は、本開示の適用範囲を逸脱しない形でその他の側面に対しても適用することができる。以上のように、この開示は、ここにおいて示される側面に限定されることが意図されるものではなく、ここにおいて開示される原理及び斬新な特徴に一致する限りにおいて最も広範な適用範囲が認められるべきである。
以下に、本願出願の当初の特許請求の範囲に記載された発明を付記する。
［Ｃ１］  信号を提供するための装置であって、
発振信号を提供するように構成された発振器回路と、
出力信号を提供するために前記発振信号を調整可能スレショルドと比較するように構成された比較器と、
前記出力信号の位相をスキューするために前記調整可能スレショルドを生成するように構成されたスレショルド回路と、を備える、装置。
［Ｃ２］  一組の調整可能スレショルド値を格納するように構成されたデータメモリであって、前記一組の調整可能スレショルド値の各々は、前記出力信号に関する異なる位相オフセットと関連づけられるデータメモリ、をさらに備え、
前記スレショルド回路は、前記出力信号の前記位相をスキューするために前記調整可能スレショルド値のうちの１つを選択するようにさらに構成されるＣ１に記載の装置。
［Ｃ３］  少なくとも１つのその他の出力信号を提供するために前記発振信号を少なくとも１つのその他の調整可能スレショルドと比較するように構成された少なくとも１つのその他の比較器をさらに備え、
前記スレショルド回路は、前記少なくとも１つのその他の出力信号の各々の出力信号の位相をスキューするために前記少なくとも１つのその他の調整可能スレショルドを生成するようにさらに構成されるＣ１に記載の装置。
［Ｃ４］  一組の調整可能スレショルド値を格納するように構成されたデータメモリであって、前記一組の調整可能スレショルド値の各々は、異なる位相オフセットと関連づけられるデータメモリ、をさらに備え、
前記スレショルド回路は、前記出力信号の前記位相をスキューするために前記組の調整可能スレショルド値のうちの少なくとも１つを選択するようにさらに構成されるＣ３に記載の装置。
［Ｃ５］  前記比較器は、調整可能な決定スレショルドを有するインバータを備え、前記調整可能な決定スレショルドは、前記インバータに前記出力信号の極性を切り換えさせる前記発振信号のレベルを決定するものであり、
前記調整可能なスレショルドの調整は、前記決定スレショルドを変更するＣ１に記載の装置。
［Ｃ６］  前記比較器は、調整可能バイアスを有するトランジスタ回路を備え、
前記調整可能スレショルドの調整は、前記バイアスを調整するＣ１に記載の装置。
［Ｃ７］前記発振器回路は、インバータと並列に結合された水晶発振器を備えるＣ１に記載の装置。
［Ｃ８］前記スレショルド回路は、追跡ループ内に実装され、
前記追跡ループは、他の信号の位相を追跡するために前記出力信号の前記位相をスキューするように構成されるＣ１に記載の装置。
［Ｃ９］前記他の信号は、受信された信号から復元されるクロック信号を備えるＣ８に記載の装置。
［Ｃ１０］  前記発振器回路は、１０以上のオーダーの品質係数を有するＣ１に記載の装置。
［Ｃ１１］前記出力信号に基づいて超広帯域パルスからデータを復元するように構成されたデータ復元回路をさらに備えるＣ１に記載の装置。
［Ｃ１２］  前記超広帯域パルスは、２０％以上のオーダーの部分的帯域幅、５００ＭＨｚ以上のオーダーの帯域幅、又は２０％以上のオーダーの部分的帯域幅と５００ＭＨｚ以上のオーダーの帯域幅と関連づけられるＣ１１に記載の装置。
［Ｃ１３］  信号を提供する方法であって、
発振信号を提供することと、
出力信号を提供するために前記発振信号を調整可能スレショルドと比較することと、
前記出力信号の位相をスキューするために前記調整可能スレショルドを生成すること、とを備える、方法。
［Ｃ１４］  一組の調整可能スレショルド値を格納することであって、前記一組の調整可能スレショルド値の各々は、前記出力信号に関する異なる位相オフセットと関連づけられること、をさらに備え、
前記調整可能スレショルドの前記生成は、前記出力信号の前記位相をスキューするために前記調整可能スレショルド値のうちの１つを選択することを備えるＣ１３に記載の方法。
［Ｃ１５］  少なくとも１つのその他の出力信号を提供するために前記発振信号を少なくとも１つのその他の調整可能スレショルド値と比較することと、
前記少なくとも１つのその他の出力信号の各々の出力信号の位相をスキューするために前記少なくとも１つのその他の調整可能スレショルドを生成すること、とをさらに備えるＣ１３に記載の方法。
［Ｃ１６］  一組の調整可能スレショルド値を格納することであって、前記一組の調整可能スレショルド値の各々は、異なる位相オフセットと関連づけられることをさらに備え、
前記少なくとも１つのその他の調整可能スレショルドの前記生成は、前記出力信号の前記位相をスキューするために前記組の調整可能スレショルド値のうちの少なくとも１つを選択することを備えるＣ１５に記載の方法。
［Ｃ１７］  前記比較は、調整可能な決定スレショルドを有するインバータによって実行され、前記調整可能な決定スレショルドは、前記インバータに前記出力信号の極性を切り換えさせる前記発振信号のレベルを決定するものであり、
前記調整可能なスレショルドの調整は、前記決定スレショルドを変更するＣ１３に記載の方法。
［Ｃ１８］  前記比較は、調整可能バイアスを有するトランジスタ回路によって行われ、
前記調整可能スレショルドの調整は、前記バイアスを調整するＣ１３に記載の方法。
［Ｃ１９］前記発振信号は、インバータと並列に結合された水晶発振器を備える発振器回路によって提供されるＣ１３に記載の方法。
［Ｃ２０］前記調整可能スレショルドの前記生成は、追跡ループ内に実装され、
前記追跡ループは、他の信号の位相を追跡するために前記出力信号の前記位相をスキューするＣ１３に記載の方法。
［Ｃ２１］前記他の信号は、受信された信号から復元されるクロック信号を備えるＣ２０に記載の方法。
［Ｃ２２］  前記発振信号を提供する発振器回路は、１０以上のオーダーの品質係数を有するＣ１３に記載の方法。
［Ｃ２３］前記出力信号に基づいて超広帯域パルスからデータを復元することをさらに備えるＣ１３に記載の方法。
［Ｃ２４］前記超広帯域パルスは、２０％以上のオーダーの部分的帯域幅、５００ＭＨｚ以上のオーダーの帯域幅、又は２０％以上のオーダーの部分的帯域幅と５００ＭＨｚ以上のオーダーの帯域幅と関連づけられるＣ２３に記載の方法。
［Ｃ２５］信号を提供するための装置であって、
発振信号を提供するための手段と、
出力信号を提供するために前記発振信号を調整可能スレショルドと比較するための手段と、
前記出力信号の位相をスキューするために前記調整可能スレショルドを生成するための手段と、を備える、装置。
［Ｃ２６］  一組の調整可能スレショルド値を格納するための手段であって、前記一組の調整可能スレショルド値の各々は、前記出力信号に関する異なる位相オフセットと関連づけられる手段、をさらに備え、
生成するための前記手段は、前記出力信号の前記位相をスキューするために前記調整可能スレショルド値のうちの１つを選択するＣ２５に記載の装置。
［Ｃ２７］  比較するための前記手段は、少なくとも１つのその他の出力信号を提供するために前記発振信号を少なくとも１つのその他の調整可能スレショルドと比較し、
生成するための前記手段は、前記少なくとも１つのその他の出力信号のうちの各々の出力信号の位相をスキューするために前記少なくとも１つのその他の調整可能スレショルドを生成するＣ２５に記載の装置。
［Ｃ２８］  一組の調整可能スレショルド値を格納するための手段であって、前記一組の調整可能スレショルド値の各々は、異なる位相オフセットと関連づけられる手段、をさらに備え、
生成するための前記手段は、前記出力信号の前記位相をスキューするために前記組の調整可能スレショルド値のうちの少なくとも１つを選択するＣ２７に記載の装置。
［Ｃ２９］  比較するための前記手段は、調整可能な決定スレショルドを有するインバータを備え、前記調整可能な決定スレショルドは、前記インバータに前記出力信号の極性を切り換えさせる前記発振信号のレベルを決定するものであり、
前記調整可能なスレショルドの調整は、前記決定スレショルドを変更するＣ２５に記載の装置。
［Ｃ３０］  比較するための前記手段は、調整可能バイアスを有するトランジスタ回路を備え、
前記調整可能スレショルドの調整は、前記バイアスを調整するＣ２５に記載の装置。
［Ｃ３１］提供するための前記手段は、インバータと並列に結合された水晶発振器を備えるＣ２５に記載の装置。
［Ｃ３２］生成するための前記手段は、追跡ループ内に実装され、
前記追跡ループは、他の信号の位相を追跡するために前記出力信号の前記位相をスキューするように構成されるＣ２５に記載の装置。
［Ｃ３３］前記他の信号は、受信された信号から復元されるクロック信号を備えるＣ３２に記載の装置。
［Ｃ３４］  提供するための前記手段は、１０以上のオーダーの品質係数を有するＣ２５に記載の装置。
［Ｃ３５］前記出力信号に基づいて超広帯域パルスからデータを復元するための手段をさらに備えるＣ２５に記載の装置。
［Ｃ３６］前記超広帯域パルスは、２０％以上のオーダーの部分的帯域幅、５００ＭＨｚ以上のオーダーの帯域幅、又は２０％以上のオーダーの部分的帯域幅と５００ＭＨｚ以上のオーダーの帯域幅と関連づけられるＣ３５に記載の装置。
［Ｃ３７］  信号を提供するためのコンピュータプログラム製品であって、
発振信号を提供し、
出力信号を提供するために前記発振信号を調整可能スレショルドと比較し、及び
前記出力信号の位相をスキューするために前記調整可能スレショルドを生成するために少なくとも１つのコンピュータによって実行可能な符号を備えるコンピュータによって読み取り可能な媒体を備える、コンピュータプログラム製品。
［Ｃ３８］  ヘッドセットであって、
発振信号を提供するように構成された発振器回路と、
出力信号を提供するために前記発振信号を調整可能スレショルドと比較するように構成された比較器と、
前記出力信号の位相をスキューするために前記調整可能スレショルドを生成するように構成されたスレショルド回路と、
前記出力信号の使用を通じて提供されるデータに基づいて音声出力を提供するために適合化されたトランスデューサと、を備える、ヘッドセット。
［Ｃ３９］  ウォッチであって、
発振信号を提供するように構成された発振器回路と、
出力信号を提供するために前記発振信号を調整可能スレショルドと比較するように構成された比較器と、
前記出力信号の位相をスキューするために前記調整可能スレショルドを生成するように構成されたスレショルド回路と、
前記出力信号の使用を通じて提供されるデータに基づいて指示を提供するために適合化されたユーザインタフェースと、を備える、ウォッチ。
［Ｃ４０］  無線通信に関する検知デバイスであって、
発振信号を提供するように構成された発振器回路と、
出力信号を提供するために前記発振信号を調整可能スレショルドと比較するように構成された比較器と、
前記出力信号の位相をスキューするために前記調整可能スレショルドを生成するように構成されたスレショルド回路と、
前記出力信号の使用を通じて送信されるべきデータを提供するために適合化されたセンサと、を備える、検知デバイス。